(57)【要約】【課題】階段の入隅部溜まる塵埃を防止し、且つ階段の昇降時に障害にならないコーナ部材を提供する。【解決手段】階段の踏み板２と蹴込み板３で構成される入隅部に設置される階段のコーナ部材１であって、その上端縁部及び下端前方縁部は鋭角に形成され、その表面側に形成される傾斜面５は上端から下端へ下降傾斜し、その前後方向の巾が、踏み板２の先端が蹴込み板３より突出した部分の長さである蹴込み寸法６以下になるようにした。【選択図】図１
2010071030.tif 000002
【特許請求の範囲】
【請求項１】
階段の踏み板と蹴込み板で構成される入隅部に設置される階段のコーナ部材であって、
その上端縁部及び下端前方縁部は鋭角に形成され、
この上端縁部から下端前方縁部にいたる表面が下降傾斜した傾斜面として形成され、
その前後方向の巾が、踏み板の先端が蹴込み板より突出した部分の長さである蹴込み寸法以下であることを特徴とする階段のコーナ部材。
【請求項２】
階段の蹴込み板の下端部に沿って、長尺で形成されたことを特徴とする請求項１記載の階段のコーナ部材。
【請求項３】
階段の踏み板と蹴込み板と側板とで構成される入隅部のコーナ端に設置されるために略三角錐状の外形に形成されたことを特徴とする請求項１記載の階段のコーナ部材。
【請求項４】
傾斜面を階段と同質な木質で形成したことを特徴とする請求項１乃至３のいずれか一項に記載の階段のコーナ部材。
【請求項５】
透明な樹脂で形成したことを特徴とする請求項１乃至３のいずれか一項に記載の階段のコーナ部材。
【請求項６】
傾斜面に防汚処理を施したことを特徴とする請求項１乃至５のいずれか一項に記載の階段のコーナ部材。
【発明の詳細な説明】
【技術分野】
【０００１】
本願発明は、階段の踏み板と、蹴込み板とで構成される入隅部に設置される階段のコーナ部材に関するものである。
【背景技術】
【０００２】
階段の踏み板と、蹴込み板とで構成される入隅部は塵埃が溜まりやすく、従来から、塵埃が溜まるのを防止するために入隅部にコーナ部材を設け入隅部に塵埃が溜まるのを防止している。
【０００３】
特開２００１−１５２６３５号公報（特許文献１）に示される階段のコーナ部材は、合成樹脂で一体成形し、コーナ部材に中空部を設けることにより、可撓性を付与したとしている。これにより、階段の踏み板と蹴込み板とで構成される入隅部に取り付ければ入隅部に塵埃が溜まるのを防止することがき、コーナ部材の可撓性により踏み板に対して蹴込み板が直角以上に前傾又は、後傾していても、これを吸収して踏み板と蹴込み板にきっちりとした配置で固定され、隙間が生じない仕上がりとなるとしている。
【特許文献１】特開２００１−１５２６３５号公報
【発明の開示】
【発明が解決しようとする課題】
【０００４】
しかしながら、上記従来例である階段のコーナ部材にあっては、階段の踏み板を上方から眺めた場合、蹴込み板に接してその前方にコーナ部材が設置されることになる。コーナ部材の上に足を置いて、階段を昇降すると不安定であり、危険が伴う。したがって、実質的には、踏み板からコーナ部材を除いた、残りの面積のみが階段の昇降時に利用することができる有効面積であり、有効面積が小さいと階段の昇降が困難であり、また、その際足を踏み外す危険性もある。
【０００５】
本願発明は、上記背景技術に鑑みて発明されたものであり、その課題は、階段の入隅部に溜まる塵埃を防止し、且つ階段の昇降時に障害にならないコーナ部材を提供することである。
【課題を解決するための手段】
【０００６】
上記課題を解決するために、本願請求項１記載の発明では、階段の踏み板と蹴込み板で構成される入隅部に設置される階段のコーナ部材であって、その上端縁部及び下端前方縁部を鋭角に形成し、この上端縁部から下端前方縁部にいたる表面を下降傾斜した傾斜面として形成し、その前後方向の巾が、踏み板の先端が蹴込み板より突出した部分の長さである蹴込み寸法以下になるようにしている。
【０００７】
又、本願請求項２記載の発明では、上記請求項１記載の階段のコーナ部材において、    階段の蹴込み板の下端部に沿って、長尺で形成されたことを特徴としている。
【０００８】
又、本願請求項３記載の発明では、上記請求項１記載の階段のコーナ部材において、階段の踏み板と蹴込み板と側板とで構成される入隅部のコーナ端に設置されるために略三角錐状の外形に形成されたことを特徴としている。
【０００９】
又、本願請求項４記載の発明では、上記請求項１乃至３のいずれか一項に記載の階段のコーナ部材において、傾斜面を階段と同質な木質で形成したことを特徴としている。
【００１０】
又、本願請求項５記載の発明では、上記請求項１乃至３のいずれか一項に記載の階段のコーナ部材において、コーナ部材を、透明な樹脂で形成したことを特徴とするとしている。
【００１１】
又、本願請求項６記載の発明では、上記請求項１乃至５のいずれか一項に記載の階段のコーナ部材において、傾斜面に防汚処理を施したことを特徴としている。
【発明の効果】
【００１２】
本願請求項１記載の発明の階段のコーナ部材においては、その前後方向の巾が、踏み板の先端が蹴込み板より突出した部分の長さである蹴込み寸法以下であるので、階段の踏み板を上方から眺めた場合、コーナ部材は視認されず、視認される階段の踏み板の全面を利用でき、コーナ部材が階段の昇降時に障害にならない。また、踏み板と蹴込み板とで構成される入隅部に塵埃が溜まることを防止することができ、塵埃が溜まった場合でも、その傾斜面のため清掃が容易である。
【００１３】
又、本願請求項２記載の発明の階段のコーナ部材においては、特にコーナ部材が長尺で形成されているため、広範囲の入隅部に塵埃が溜まることを防止することができる。
【００１４】
又、本願請求項３記載の発明の階段のコーナ部材においては、特に、階段の踏み板と蹴込み板と側板とで構成される入隅部のコーナ端に設置するために略三角錐状の外形に形成されるため、より清掃が困難である３面で構成されるコーナ部に塵埃が溜まることを防止することができる。
【００１５】
又、本願請求項４記載の発明の階段のコーナ部材においては、特にコーナ部材を階段と同質な木質で形成しているため、外観を損ねることがなく、階段の審美性を保つことができる。
【００１６】
又、本願請求項５記載の発明の階段のコーナ部材においては、特にコーナ部材を透明な樹脂で形成しているため、コーナ部材を透して階段を視認することができ、階段の外観を損ねず審美性を保つことができる。
【００１７】
又、本願請求項６記載の発明の階段のコーナ部材においては、特に傾斜面に防汚処理を施したため、清掃がより、容易となる。
【発明を実施するための最良の形態】
【００１８】
本願発明の第一の実施形態を、図面を参照しながら以下に詳細に説明する。図１は、本実施形態における階段のコーナ部材１の使用状態の斜視図であり、図２は、階段のコーナ部材１の断面図である。
【００１９】
階段のコーナ部材１は、踏み板２と蹴込み板３とで構成される入隅部に設置され使用されるものであり、蹴込み板３の下端部に沿って、長尺で形成される。本実施形態におけるコーナ部材１は、蹴込み板３の下端部に設置されるものであり、蹴込み板３の化粧版は露出しており蹴込み板３のカバーとは異なる構成である。
【００２０】
コーナ部材１の上端縁部及び下端前方縁部は鋭角に形成され、この上端縁部から下端前方縁部にいたる表面が下降傾斜した傾斜面５として平面形状に形成されている。
【００２１】
なお、本実施形態では傾斜面５を、平面形状に形成したが、傾斜面５を凸曲面状や凹曲面状に形成してもよい。また、傾斜面５は、その上端において蹴込み板３と、その下端において踏み板２と段差なく連続している。
【００２２】
コーナ部材１は、その前後方向の巾が、踏み板２の先端が蹴込み板３より突出した部分の長さである蹴込み寸法６以下になるように形成されており、階段の昇降時に障害にならないようにしている。
【００２３】
図３のコーナ部材１の斜視図を用いて、さらに詳細に説明すると、コーナ部材１は、蹴込み板３に接触する蹴込み板接触面７と、踏み板２に接触する踏み板接触面８とを備え、その、蹴込み板接触面７又は踏み板接触面８に接着剤を塗布しそれぞれの対応する、設置面に貼り付けることによって、入隅部に取り付けられる。なお、接着剤を用いなくても、その両面に粘着性を有するシート状の両面テープを用いて入隅部に取り付けてもよい。
【００２４】
上記実施形態においては、コーナ部材１を傾斜面５の他、蹴込み板接触面７と踏み板接触面８とを備えるものとして記載したが、蹴込み板接触面７と踏み板接触面８とを備えない、傾斜面５のみのコーナ部材１であってもよい。すなわち、傾斜面５が板状に形成され、踏み板２と蹴込み板３とで構成される入隅部を防ぐように傾斜面５を設置する。この場合、傾斜面５の上端及び下端縁部に接着剤又は両面テープを用いることにより、入隅部に固定される。
【００２５】
また、コーナ部材１の傾斜面５は、階段と同質な木質で形成し、防汚処理を施しておくことが望ましい。この場合、階段と同質な木質でコーナ部材１の全体を形成してもよいし、コーナ部材の形状を形成した後、木質をシート状にしたものを傾斜面５に貼り付けてもよい。防汚処理の一例としては、撥水撥油処理であり、フッ素系塗料を傾斜面５に塗布することによりなされる。
【００２６】
また、コーナ部材１を透明な樹脂で形成しておいてもよく、この場合も傾斜面に防汚処理を施しておくことが望ましい。
【００２７】
したがって、この実施形態における階段のコーナ部材１においては、その前後方向の巾が、踏み板２の先端が蹴込み板３より突出した部分の長さである蹴込み寸法６以下であるので、階段の踏み板２を上方から眺めた場合、コーナ部材１は視認されず、視認される階段の踏み板２の全面を利用でき、コーナ部材１が階段の昇降時に障害にならない、また、コーナ部材１が長尺で形成されているため、広範囲の入隅部に塵埃が溜まることを防止することができ、塵埃が溜まった場合でも、その傾斜面５のため清掃が容易である。
【００２８】
更に、コーナ部材１を階段と同質な木質で形成すれば、外観を損ねることがなく、階段の審美性を保つことができる。
【００２９】
また、コーナ部材を透明な樹脂で形成しても、コーナ部材を透して階段を視認することができ、階段の外観を損ねず審美性を保つことができる。
【００３０】
更に、傾斜面に防汚処理を施せば、清掃がより、容易となる。
【００３１】
次に、本願発明の第二の実施形態を、図面を参照しながら以下に詳細に説明する。なお、ここでは、上記第一の実施形態と相違する事項についてのみ説明し、その他の事項（構成、作用効果等）については、上記第一の実施形態と同様であるのでその説明を省略する。
【００３２】
図４は、本実施形態における階段のコーナ部材１の使用状態の斜視図である。階段のコーナ部材１は、踏み板２と蹴込み板３と側板４とで構成される入隅部のコーナ端に設置され使用されるものであり、略三角錐状の外形に形成され、その上端縁部及び下端前方縁部は鋭角に形成され、この上端縁部から下端前方縁部にいたる表面が下降傾斜した傾斜面５として形成されている。
【００３３】
図５のコーナ部材１の斜視図を用いて、さらに詳細に説明すると、コーナ部材１は、蹴込み板３に接触する蹴込み板接触面７と、踏み板２に接触する踏み板接触面８と側板４に接触する側板接触面９とを備え、その、蹴込み板接触面７、踏み板接触面８又は、側板接触面９に接着剤を塗布しそれぞれの対応する、設置面に貼り付けることによって、入隅部に取り付けられる。なお、接着剤を用いなくても、その両面に粘着性を有するシート状の両面テープを用いて入隅部に取り付けてもよい。
【００３４】
したがって、この実施形態における階段のコーナ部材１においては、階段の踏み板２と蹴込み板３と側板４とで構成される入隅部のコーナ端に設置するために略三角錐状の外形に形成されるため、より清掃が困難である３面で構成されるコーナ部に塵埃が溜まることを防止することができる。
【図面の簡単な説明】
【００３５】
【図１】第一の実施形態における階段のコーナ部材の使用状態の斜視図
【図２】階段のコーナ部材の断面図
【図３】第一の実施形態における階段のコーナ部材の斜視図
【図４】第二の実施形態における階段のコーナ部材の使用状態の斜視図
【図５】第二の実施形態における階段のコーナ部材の斜視図
【符号の説明】
【００３６】
１  コーナ部材
２  踏み板
３  蹴込み板
４  側板
５  傾斜面
６  蹴込み寸法
７  蹴込み板接触面
８  踏み板接触面
９  側板接触面
【図１】
2010071030.tif 000003
【図２】
2010071030.tif 000004
【図３】
2010071030.tif 000005
【図４】
2010071030.tif 000006
【図５】
2010071030.tif 000007